(57)【要約】【課題】本発明は、排水手段を備えた除湿装置に関するもので、風向変更装置の移動時の安全性を更に向上することが出来るものである。【解決手段】本発明は、回動手段２１が、第３の蓋２０における第２の蓋１９側の端部から第２の蓋１９方向で斜め上方へ伸びた支持部２４と、この支持部２４の先端に設けられ排水手段９を着脱開口１０から本体ケース１へ装着する方向に対して垂直水平方向へ伸びた円柱形状の軸部２５と、第２の蓋１９の先端側の両端部に設けられ上方向へ凹むと共に内方が開口し軸部の両端周面を回転自在に支持する複数の軸受部２６とからなり、タンクケース部１１に蓋部１２を装着した場合には、第２の蓋１９の先端側の端部と、第３の蓋２０における第２の蓋側の端部との間に隙間部２７を有し、第３の蓋２０における第２の蓋１９側の端部下面から第２の蓋１９の端部下面より下方へ伸びた板形状の水よけ部２８を備えたことを特徴とする除湿装置。【選択図】図３
2014171918.tif 000002
【特許請求の範囲】
【請求項１】
除湿手段を備えた本体ケースと、この本体ケースの一方側の側面に設けた開口である着脱開口と、この着脱開口から前記本体ケース内へ水平方向に移動することにより前記本体ケースへ装着可能な排水手段とからなり、この排水手段は、略箱形状で上方に開口を備えたタンクケース部と、このタンクケース部に着脱自在な蓋部とからなり、前記タンクケース部は、一方側の側面には取手部を備え、他方側の側面には、前記排水手段を前記着脱開口から前記本体ケースへ装着する方向へ、前記タンクケース部の他方側の側面の少なくとも上部が突出する注ぎ部を設け、前記蓋部は、前記開口を覆うと共にドレン孔を設けた第１の蓋と、この第１の蓋から伸びると共に前記注ぎ部の根元側を覆う第２の蓋と、前記注ぎ部の先端側を覆う第３の蓋と、この第３の蓋を第２の蓋に回動自在に装着できる回動手段と、前記第１の蓋と、前記第２の蓋と、前記第３の蓋との周縁部の少なくとも一部に設け、垂直断面形状が下方に開口したコの字形状でタンクケース部の開口縁に嵌る装着部とからなり、前記回動手段は、前記第３の蓋における前記第２の蓋側の端部から前記第２の蓋方向で斜め上方へ伸びた支持部と、この支持部の先端に設けられ前記排水手段を前記着脱開口から前記本体ケースへ装着する方向に対して垂直水平方向へ伸びた円柱形状の軸部と、前記第２の蓋の先端側の両端部に設けられ上方向へ凹むと共に内方が開口し前記軸部の両端周面を回転自在に支持する複数の軸受部とからなり、前記タンクケース部に前記蓋部を装着した場合には、前記第２の蓋の先端側の端部と、前記第３の蓋における前記第２の蓋側の端部との間に隙間部を有し、前記第３の蓋における前記第２の蓋側の端部下面から前記第２の蓋の端部下面より下方へ伸びた板形状の水よけ部を備えたことを特徴とする除湿装置。
【請求項２】
前記軸受部の間には、前記第２の蓋の上面から前記軸部の高さまで上方へ伸びると共に複数の前記軸受部を連結する板形状の連結部と、この連結部の先端から前記軸部の周面に沿うように伸びた板形状の突起である連結側突起部とを備えたことを特徴とする請求項１に記載の除湿装置。
【請求項３】
前記軸部の周面から突出した板形状の突起である第１の軸側突起部を備え、前記タンクケース部に前記蓋部を装着すると、前記第１の軸側突起部が前記連結側突起部の下面に接触することを特徴とする請求項２に記載の除湿装置。
【請求項４】
前記軸部の周面から突出した板形状の突起である第２の軸側突起部を備え、前記タンクケース部に前記蓋部を装着した状態から前記第３の蓋を前記注ぎ部から外し、回動させると前記第２の軸側突起部が連結側突起部を乗り越え仮固定状態となることを特徴とする請求項２または３に記載の除湿装置。
【発明の詳細な説明】
【技術分野】
【０００１】
本発明は、本発明は、例えば衣類乾燥用として用いられる除湿装置に関するものである。
【背景技術】
【０００２】
従来、この種の除湿装置は、除湿手段を備えた本体ケースと、この本体ケースの一方側の側面に設けた開口である着脱開口と、この着脱開口から前記本体ケース内へ水平方向に移動することにより前記本体ケースへ装着可能な排水手段とからなり、この排水手段は、略箱形状で上方に開口を備えたタンクケース部と、このタンクケース部に着脱自在な蓋部とからなり、前記タンクケース部は、一方側の側面には取手部を備え、他方側の側面には、前記排水手段を前記着脱開口から前記本体ケースへ装着する方向へ、前記タンクケース部の他方側の側面の少なくとも上部が突出する注ぎ部を設け、前記蓋部は、前記開口を覆うと共にドレン孔を設けた第１の蓋と、この第１の蓋から伸びると共に前記注ぎ部の根元側を覆う第２の蓋と、前記注ぎ部の先端側を覆う第３の蓋と、この第３の蓋を第２の蓋に回動自在に装着できるひんじ部と、前記第１の蓋と、前記第２の蓋と、前記第３の蓋との周縁部の少なくとも一部に設けた垂直断面形状が下方に開口したコの字形状でタンクケース部の開口縁に嵌る装着部とからなる構成となっていた（例えば、特許文献１参照）。
【先行技術文献】
【特許文献】
【０００３】
【特許文献１】特開２００８−２００５９６号公報
【発明の概要】
【発明が解決しようとする課題】
【０００４】
上記従来例における課題としては、メンテナンス時の回動自在な蓋の耐久性の更なる向上が求められていることである。
【０００５】
すなわち、排水手段に除湿された結露水が溜まった場合に、本体ケースの着脱開口から排水手段を引き出し、排水手段を持って洗面所等で水を排水する。その場合に、第３の蓋をタンクケース部から外し、その開口から水を排水するものである。ここで、第３の蓋は、第２の蓋にひんじによって回動自在に設けられている。このひんじとは、薄い樹脂部分によって第３の蓋と第２の蓋とを連結しているものである。この薄い樹脂部分に、不注意で無理な力がかかると、回動自在な蓋の耐久性が低下する場合があった。
【０００６】
そこで本発明は、メンテナンス時の回動自在な蓋の耐久性を更に向上させることを目的とするものである。
【課題を解決するための手段】
【０００７】
そしてこの目的を達成するために本発明は、除湿手段を備えた本体ケースと、この本体ケースの一方側の側面に設けた開口である着脱開口と、この着脱開口から前記本体ケース内へ水平方向に移動することにより前記本体ケースへ装着可能な排水手段とからなり、この排水手段は、略箱形状で上方に開口を備えたタンクケース部と、このタンクケース部に着脱自在な蓋部とからなり、前記タンクケース部は、一方側の側面には取手部を備え、他方側の側面には、前記排水手段を前記着脱開口から前記本体ケースへ装着する方向へ、前記タンクケース部の他方側の側面の少なくとも上部が突出する注ぎ部を設け、前記蓋部は、前記開口を覆うと共にドレン孔を設けた第１の蓋と、この第１の蓋から伸びると共に前記注ぎ部の根元側を覆う第２の蓋と、前記注ぎ部の先端側を覆う第３の蓋と、この第３の蓋を第２の蓋に回動自在に装着できる回動手段と、前記第１の蓋と、前記第２の蓋と、前記第３の蓋との周縁部の少なくとも一部に設けた垂直断面形状が下方に開口したコの字形状でタンクケース部の開口縁に嵌る装着部とからなり、前記回動手段は、前記第３の蓋における前記第２の蓋側の端部から前記第２の蓋方向で斜め上方へ伸びた支持部と、この支持部の先端に設けられ前記排水手段を前記着脱開口から前記本体ケースへ装着する方向に対して垂直水平方向へ伸びた円柱形状の軸部と、前記第２の蓋の先端側の両端部に設けられ上方向へ凹むと共に内方が開口し前記軸部の両端周面を回転自在に支持する複数の軸受部とからなり、前記タンクケース部に前記蓋部を装着した場合には、前記第２の蓋の先端側の端部と、前記第３の蓋における前記第２の蓋側の端部との間に隙間部を有し、前記第３の蓋における前記第２の蓋側の端部下面から前記第２の蓋の端部下面より下方へ伸びた板形状の水よけ部を備えた構成としたものであり、これにより初期の目的を達成するものである。
【発明の効果】
【０００８】
以上のように本発明は、除湿手段を備えた本体ケースと、この本体ケースの一方側の側面に設けた開口である着脱開口と、この着脱開口から前記本体ケース内へ水平方向に移動することにより前記本体ケースへ装着可能な排水手段とからなり、この排水手段は、略箱形状で上方に開口を備えたタンクケース部と、このタンクケース部に着脱自在な蓋部とからなり、前記タンクケース部は、一方側の側面には取手部を備え、他方側の側面には、前記排水手段を前記着脱開口から前記本体ケースへ装着する方向へ、前記タンクケース部の他方側の側面の少なくとも上部が突出する注ぎ部を設け、前記蓋部は、前記開口を覆うと共にドレン孔を設けた第１の蓋と、この第１の蓋から伸びると共に前記注ぎ部の根元側を覆う第２の蓋と、前記注ぎ部の先端側を覆う第３の蓋と、この第３の蓋を第２の蓋に回動自在に装着できる回動手段と、前記第１の蓋と、前記第２の蓋と、前記第３の蓋との周縁部の少なくとも一部に設けた垂直断面形状が下方に開口したコの字形状でタンクケース部の開口縁に嵌る装着部とからなり、前記回動手段は、前記第３の蓋における前記第２の蓋側の端部から前記第２の蓋方向で斜め上方へ伸びた支持部と、この支持部の先端に設けられ前記排水手段を前記着脱開口から前記本体ケースへ装着する方向に対して垂直水平方向へ伸びた円柱形状の軸部と、前記第２の蓋の先端側の両端部に設けられ上方向へ凹むと共に内方が開口し前記軸部の両端周面を回転自在に支持する複数の軸受部とからなり、前記タンクケース部に前記蓋部を装着した場合には、前記第２の蓋の先端側の端部と、前記第３の蓋における前記第２の蓋側の端部との間に隙間部を有し、前記第３の蓋における前記第２の蓋側の端部下面から前記第２の蓋の端部下面より下方へ伸びた板形状の水よけ部を備えた構成としたものであり、メンテナンス時の回動自在な蓋の耐久性を更に向上させることが出来るものである。
【０００９】
すなわち、回動手段は、第３の蓋における第２の蓋側の端部から第２の蓋方向で斜め上方へ伸びた支持部と、この支持部の先端に設けられ排水手段を着脱開口から本体ケースへ装着する方向に対して垂直水平方向へ伸びた円柱形状の軸部と、第２の蓋の先端側の両端部に設けられ上方向へ凹むと共に内方が開口し、軸部の両端周面下部を支持することによりを回転自在に支持する複数の軸受部とからなり、タンクケース部に蓋部を装着した場合には、第２の蓋の先端側の端部と、第３の蓋における第２の蓋側の端部との間に隙間部を有し、第３の蓋における第２の蓋側の端部下面から第２の蓋の端部下面より下方へ伸びた板形状の水よけ部を備えたものである。
【００１０】
これにより、ひんじのような薄い樹脂部分が無くなるので、回動自在な蓋の耐久性を更に向上できるものである。
【００１１】
但し、軸部を軸受部で回転自在に支持しているので、軸部と軸受部との間にはクリアランスが発生し、それに伴ない、第３の蓋における第２の蓋側の端部との間もクリアランスである隙間部を有するものとなる。ここで、第３の蓋における第２の蓋側の端部下面から第２の蓋の端部下面より下方へ伸びた板形状の水よけ部を備えているので、体ケースの着脱開口から排水手段を引き出した場合に、水がタンクケース部の注ぎ部で跳ね上がっても、水よけ部によって、第３の蓋における第２の蓋側の端部との間に隙間部から水が跳ね出ることを抑制できるものである。結果として、メンテナンス時の回動自在な蓋の耐久性を更に向上させることが出来るものである。
【図面の簡単な説明】
【００１２】
【図１】本発明の除湿装置の外観図
【図２】同除湿装置の展開図
【図３】同除湿装置の排水手段の展開図
【図４】同除湿装置のタンクケース部に装着した状態の排水手段の蓋部を斜め上方から見た斜視図
【図５】同除湿装置の排水手段の蓋部の展開図
【図６】同除湿装置のタンクケース部に装着した状態の排水手段の蓋部を斜め下方から見た斜視図
【図７】同除湿装置のタンクケース部に装着した状態の排水手段の蓋部の断面図
【図８】同除湿装置のタンクケース部に排水手段の蓋部を装着した状態から第３の蓋を開いたときの上方から見た斜視図
【図９】同除湿装置のタンクケース部に排水手段の蓋部を装着した状態から第３の蓋を開いたときの断面図
【発明を実施するための形態】
【００１３】
（実施の形態１）
以下本発明の一実施形態を添付図面を用いて説明する。
【００１４】
図１および２において、１は縦長箱状の本体ケースで、この本体ケース１の背面には吸込口２、上面の背面側には送風口３が設けられている。
【００１５】
また本体ケース１内には、圧縮機１５と、凝縮器４、蒸発器５を備えた冷凍サイクルと、除湿ロータ６からなる除湿手段が設けられている。
【００１６】
すなわち、上記先行文献にも類似する構成が記載されているので、ここでは説明を簡略化するが、本実施形態の除湿動作は以下のようになっている。先ずモータ７によりファン８を駆動すると、吸込口２から室内空気が本体ケース１内に吸入され、この空気の大部分は凝縮器４で加熱され、相対湿度が低くなった状態で、送風口３から室内に送風されるようになっている。
【００１７】
また、送風手段であるファン８により本体ケース１内に吸入された空気の一部は、加熱され、相対湿度が低くなった状態で除湿ロータ６の放出部を通過し、この時この放出部からの放出湿度を伴って次に蒸発器５へと誘導され、この蒸発器５で冷却され、ここで湿気を結露させる。この結露水は排水手段９の中に溜められる。
【００１８】
また、蒸発器５で結露しなかった湿気は除湿ロータ６の吸湿部で吸湿され、この吸湿部は除湿ロータ６の回転によりその後上記放出部となり、これにより捕らえた湿気を加熱空気に再放出させ、次に蒸発器５で冷却し、湿気を結露させて除去する。
【００１９】
そしてこのような除湿動作により、乾燥した空気が生成され、この乾燥空気が上述の送風口３から本体ケース１後方の室内に送風されるようになっている。
【００２０】
したがって、この送風部分に洗濯物を干しておれば、乾燥が効率的に進むものとなるのである。
【００２１】
圧縮機１５は、本体ケース１の他方側、つまり本体ケース１を正面から見て左側の下部に設けられ、圧縮機１５の隣には排水手段９を装着可能な構成である。圧縮機１５、および排水手段９より上方には、凝縮器４、蒸発器５、除湿ロータ６、およびファン８等を備えている。特に、蒸発器５は、排水手段９の上方に設けているので、蒸発器５で結露した結露水は、排水手段９に滴下する。
【００２２】
本体ケース１の一方側の側面、つまり本体ケース１を正面から見て右側側面には、四角形状の開口である着脱開口１０を備えている。この着脱開口１０から本体ケース１内へ排水手段９を水平方向に移動することにより、本体ケースへ排水手段９を装着できる。
【００２３】
排水手段９は、図３〜９に示すように、略箱形状で上方に開口１６を備えたタンクケース部１１と、このタンクケース部１１に着脱自在な蓋部１２とから構成している。
【００２４】
タンクケース部１１は、一方側の側面には取手部１３を備え、他方側の側面には注ぎ部１４を備えている。この注ぎ部１４は、排水手段９を着脱開口１０から本体ケース１へ装着する方向へ、タンクケース部１１の他方側の側面の少なくとも上部が突出した形状である。具体的には、注ぎ部１４は、タンクケース部１１の他方側の側面の端部、本体ケース１における前面側が突出した形状である。着脱開口１０から本体ケース１内へ排水手段９を水平方向に移動すると、注ぎ部１４は、圧縮機１５と本体ケース１との間に挿入される。
【００２５】
蓋部１２は、開口１６を覆うと共にドレン孔１７を設けた第１の蓋１８と、この第１の蓋１８から伸びると共に注ぎ部１４の根元側を覆う第２の蓋１９と、注ぎ部１４の先端側を覆う第３の蓋２０とを有している。第１の蓋１８と第２の蓋１９とは一体で形成している。第３の蓋２０は、第２の蓋１９に回動手段２１によって回動自在に装着されている。第１の蓋１８と、第２の蓋１９と、第３の蓋２０との周縁部の少なくとも一部には、垂直断面形状が下方に開口したコの字形状である装着部２２を備えている。この装着部２２が、タンクケース部１１上端の開口縁２３に嵌る。装着部２２は、第１の蓋１８と、第２の蓋１９と、第３の蓋２０の上面より突出しているので、蒸発器５で結露した結露水が、第１の蓋１８と、第２の蓋１９と、第３の蓋２０の上面に滴下しても、装着部２２によって、第１の蓋１８と、第２の蓋１９と、第３の蓋２０の周縁から水が滴下しにくい構造である。なお、蒸発器５で結露した結露水が、第１の蓋１８と第２の蓋１９に滴下すると、ドレン孔１７からタンクケース部１１内へ滴下する。
【００２６】
回動手段２１は、図４および５に示すように、支持部２４と、軸部２５と、軸受部２６とから構成している。支持部２４と軸部２５とは、第３の蓋２０に設けられ、軸受部２６は、第２の蓋に設けられている。
【００２７】
支持部２４は、第３の蓋２０における第２の蓋１９側の端部から第２の蓋１９方向で斜め上方へ伸びた四角板形状である。この支持部２４の先端に軸部２５を有している。
【００２８】
軸部２５は、排水手段９を着脱開口１０から本体ケース１へ装着する方向に対して垂直水平方向、つまりタンクケース部における前後方向へ伸びた円柱形状である。
【００２９】
軸受部２６は、第２の蓋１９の先端側の両端、つまり本体ケース１における前面側と背面側とに複数設けられている。これらの両端部から上方向へ凹むと共に内方が開口し、軸部２５の両端周面を回転自在に支持する。軸受部２６の垂直断面形状は、下方に開口したコの字形状である。
【００３０】
以上の構成で、タンクケース部１１に蓋部１２を装着した場合には、第２の蓋１９の先端側の端部と、第３の蓋２０における第２の蓋１９側の端部との間に隙間である隙間部２７を有している。
【００３１】
本実施形態における特徴点は、図６に示すように、上記に記載の回動手段２１に加えて、第３の蓋２０における第２の蓋１９側の端部下面から第２の蓋１９の端部下面より下方へ伸びた板形状の水よけ部２８を備えた点である。
【００３２】
すなわち、回動手段２１は、第３の蓋２０における第２の蓋１９側の端部から第２の蓋１９方向で斜め上方へ伸びた支持部２４と、この支持部２４の先端に設けられ排水手段９を着脱開口１０から本体ケース１へ装着する方向に対して垂直水平方向へ伸びた円柱形状の軸部２５と、第２の蓋１９の先端側の両端部に設けられ上方向へ凹むと共に内方が開口し軸部２５の両端周面を回転自在に支持する複数の軸受部２６とからなり、タンクケース部１１に蓋部１２を装着した場合には、第２の蓋１９の先端側の端部と、第３の蓋２０における第２の蓋１９側の端部との間に隙間部２７を有し、第３の蓋２０における第２の蓋１９側の端部下面から第２の蓋１９の端部下面より下方へ伸びた板形状の水よけ部２８を備えたものである。
【００３３】
これにより、ひんじのような薄い樹脂部分が無くなるので、回動自在な蓋の耐久性を更に向上できるものである。但し、軸部２５を軸受部２６で回転自在に支持しているので、軸部２５と軸受部２６との間にはクリアランスが発生し、それに伴ない、第３の蓋２０における第２の蓋１９側の端部との間にもクリアランスである隙間部２７を有するものとなる。ここで、第３の蓋２０における第２の蓋１９側の端部下面から第２の蓋１９の端部下面より下方へ伸びた板形状の水よけ部２８を備えているので、本体ケース１の着脱開口１０から排水手段９を引き出した場合に、水がタンクケース部１１の注ぎ部１４で跳ね上がっても、水よけ部２８によって、第３の蓋２０における第２の蓋１９側の端部との間に隙間部２７から水が跳ね出ることを抑制できるものである。結果として、メンテナンス時の回動自在な蓋の耐久性を更に向上させることが出来るものである。
【００３４】
また、第３の蓋２０における第２の蓋１９側の端部との間に隙間部２７を有するので、蒸発器５で発生した結露水が、第３の蓋２０上に滴下した場合にも、隙間部２７を介して、タンクケース部１１内へ貯水できる。
【００３５】
また、図５および７に示すように、複数の軸受部２６の間には、第２の蓋１９の上面から軸部２５の高さまで上方へ伸びると共に複数の軸受部２６を連結する板形状の連結部２９を備えている。この連結部２９には、連結部２９の先端から軸部２５の周面に沿うように伸びた板形状の突起である連結側突起部３０を備えている。
【００３６】
これにより、本体ケース１の着脱開口１０から排水手段９を引き出した場合に、水がタンクケース部１１の注ぎ部１４で跳ね上がっても、連結側突起部３０によって、第２の蓋１９と軸部２５との間、つまり連結側突起部３０と軸部２５の周面との間の隙間がちいさくなり、この隙間から水が跳ね出ることを抑制できるものである。
【００３７】
また、軸部２５には、軸部２５の周面から突出した板形状の突起である第１の軸側突起部３１を備えている。ここで、タンクケース部１１に蓋部１２を装着すると、第１の軸側突起部３１が連結側突起部３０の下面に接触するものである。
【００３８】
これにより、本体ケース１の着脱開口１０から排水手段９を引き出した場合に、水がタンクケース部１１の注ぎ部１４で跳ね上がっても、第１の軸側突起部３１によって、第２の蓋１９と軸部２５との間、つまり連結側突起部３０と軸部２５の周面との間の隙間が、更に小さくなり、この隙間から水が跳ね出ることを抑制できるものである。
【００３９】
また、図８および９に示すように、軸部２５の周面から突出した板形状の突起である第２の軸側突起部３２を備えている。ここで、タンクケース部１１に蓋部１２を装着した状態から第３の蓋２０を注ぎ部から外し、回動させると、第２の軸側突起部３２が連結側突起部３０を乗り越え、第３の蓋２０が、第２の蓋１９に仮固定状態となる。
【産業上の利用可能性】
【００４０】
以上のように本発明は、除湿手段を備えた本体ケースと、この本体ケースの一方側の側面に設けた開口である着脱開口と、この着脱開口から前記本体ケース内へ水平方向に移動することにより前記本体ケースへ装着可能な排水手段とからなり、この排水手段は、略箱形状で上方に開口を備えたタンクケース部と、このタンクケース部に着脱自在な蓋部とからなり、前記タンクケース部は、一方側の側面には取手部を備え、他方側の側面には、前記排水手段を前記着脱開口から前記本体ケースへ装着する方向へ、前記タンクケース部の他方側の側面の少なくとも上部が突出する注ぎ部を設け、前記蓋部は、前記開口を覆うと共にドレン孔を設けた第１の蓋と、この第１の蓋から伸びると共に前記注ぎ部の根元側を覆う第２の蓋と、前記注ぎ部の先端側を覆う第３の蓋と、この第３の蓋を第２の蓋に回動自在に装着できる回動手段と、前記第１の蓋と、前記第２の蓋と、前記第３の蓋との周縁部の少なくとも一部に設けた垂直断面形状が下方に開口したコの字形状でタンクケース部の開口縁に嵌る装着部とからなり、前記回動手段は、前記第３の蓋における前記第２の蓋側の端部から前記第２の蓋方向で斜め上方へ伸びた支持部と、この支持部の先端に設けられ前記排水手段を前記着脱開口から前記本体ケースへ装着する方向に対して垂直水平方向へ伸びた円柱形状の軸部と、前記第２の蓋の先端側の両端部に設けられ上方向へ凹むと共に内方が開口し前記軸部の両端周面を回転自在に支持する複数の軸受部とからなり、前記タンクケース部に前記蓋部を装着した場合には、前記第２の蓋の先端側の端部と、前記第３の蓋における前記第２の蓋側の端部との間に隙間部を有し、前記第３の蓋における前記第２の蓋側の端部下面から前記第２の蓋の端部下面より下方へ伸びた板形状の水よけ部を備えた構成としたものであり、メンテナンス時の回動自在な蓋の耐久性を更に向上させることが出来るものである。
【００４１】
すなわち、回動手段は、第３の蓋における第２の蓋側の端部から第２の蓋方向で斜め上方へ伸びた支持部と、この支持部の先端に設けられ排水手段を着脱開口から本体ケースへ装着する方向に対して垂直水平方向へ伸びた円柱形状の軸部と、第２の蓋の先端側の両端部に設けられ上方向へ凹むと共に内方が開口し、軸部の両端周面下部を支持することによりを回転自在に支持する複数の軸受部とからなり、タンクケース部に蓋部を装着した場合には、第２の蓋の先端側の端部と、第３の蓋における第２の蓋側の端部との間に隙間部を有し、第３の蓋における第２の蓋側の端部下面から第２の蓋の端部下面より下方へ伸びた板形状の水よけ部を備えたものである。
【００４２】
これにより、ひんじのような薄い樹脂部分が無くなるので、回動自在な蓋の耐久性を更に向上できるものである。
【００４３】
但し、軸部を軸受部で回転自在に支持しているので、軸部と軸受部との間にはクリアランスが発生し、それに伴ない、第３の蓋における第２の蓋側の端部との間もクリアランスである隙間部を有するものとなる。ここで、第３の蓋における第２の蓋側の端部下面から第２の蓋の端部下面より下方へ伸びた板形状の水よけ部を備えているので、体ケースの着脱開口から排水手段を引き出した場合に、水がタンクケース部の注ぎ部で跳ね上がっても、水よけ部によって、第３の蓋における第２の蓋側の端部との間に隙間部から水が跳ね出ることを抑制できるものである。結果として、メンテナンス時の回動自在な蓋の耐久性を更に向上させることが出来るものである。
【００４４】
従って、家庭用や事務所用などの、除湿装置として活用が期待されるものである。
【符号の説明】
【００４５】
１  本体ケース
２  吸込口
３  送風口
４  凝縮器
５  蒸発器
６  除湿ロータ
７  モータ
８  ファン
９  排水手段
１０  着脱開口
１１  タンクケース部
１２  蓋部
１３  取手部
１４  注ぎ部
１５  圧縮機
１６  開口
１７  ドレン孔
１８  第１の蓋
１９  第２の蓋
２０  第３の蓋
２１  回動手段
２２  装着部
２３  開口縁
２４  支持部
２５  軸部
２６  軸受部
２７  隙間部
２８  水よけ部
２９  連結部
３０  連結側突起部
３１  第１の軸側突起部
３２  第２の軸側突起部
【図１】
2014171918.tif 000003
【図２】
2014171918.tif 000004
【図３】
2014171918.tif 000005
【図４】
2014171918.tif 000006
【図５】
2014171918.tif 000007
【図６】
2014171918.tif 000008
【図７】
2014171918.tif 000009
【図８】
2014171918.tif 000010
【図９】
2014171918.tif 000011